(57)【要約】【課題】プロテクタ上に配置された配線部材を取り囲むベルトとそのベルトを結束するベルト挿入部が、配線部材の周りを回転して周辺部材と干渉することのないようにする。【解決手段】      プロテクタ１００上に配置された配線部材１０を取り囲むベルト４がベルト挿入部５に挿入されて結束される配線部材１０の結束構造１０００において、ベルト４は、プロテクタ１００の一部１００Ａごと取り囲み、ベルト挿入部５をプロテクタ１００の当接配置部１１０に配置する。当接配置部１１０に配置されたベルト挿入部５は、配線部材１０の外周方向Ｒにおける第一側で第一の当接部１０１と当接し、その逆の第二側で第二の当接部１０２と当接することで、回転防止される。【選択図】図５
2018160983.tif 000002
【特許請求の範囲】
【請求項１】
プロテクタ上に配置された配線部材を取り囲むベルトがベルト挿入部に挿入されて結束される配線部材の結束構造であって、
前記ベルトは、前記ベルト挿入部から所定方向へと延び出し、前記プロテクタ上に配置された前記配線部材を当該プロテクタの一部を包含して取り巻いた上で当該ベルト挿入部に挿入されて結束状態とされており、
前記プロテクタは、そのベルト挿入部が配置される当接配置部を有し、
前記当接配置部は、配置される前記ベルト挿入部に対し、前記配線部材の外周方向における第一側で当接する第一の当接部と、前記外周方向における前記第一側とは逆の第二側で当接する第二の当接部と、を有しており、
前記結束状態の前記ベルト挿入部が前記第一の当接部と前記第二の当接部との双方に当接する形で前記当接配置部に配置されていることを特徴とする配線部材の結束構造。
【請求項２】
前記当接配置部は、前記結束状態における前記ベルト挿入部を、前記所定方向側において前記第一の当接部に当接させる形で配置する第一の配置状態と、前記所定方向側において前記第二の当接部に当接させる形で配置する第二の配置状態との双方が可能である請求項１に記載の配線部材の結束構造。
【請求項３】
前記ベルトは、その基端側が前記ベルト挿入部に一体に接続されており、当該ベルト挿入部から前記所定方向である第一方向へと延び出し、前記配線部材及び前記プロテクタを取り巻いた上で、前記第一方向とは異なる第二方向に向かって当該ベルト挿入部に挿入されて、前記結束状態となり、
前記ベルト挿入部は、前記結束状態において、前記第一方向側で前記第一の当接部と当接し、前記第二方向とは逆側で前記第二の当接部と当接する形で前記当接配置部に配置される請求項１又は請求項２に記載の配線部材の結束構造。
【請求項４】
前記第一の当接部及び前記第二の当接部のいずれか又は双方には、前記結束状態の前記ベルトが貫通配置される貫通部が設けられている請求項１ないし請求項３のいずれか１項に記載の配線部材の結束構造。
【請求項５】
前記第一の当接部及び前記第二の当接部のいずれか又は双方には、前記貫通部に貫通配置される前記ベルトに対し前記配線部材から遠い側で対向する離間規制部を有する請求項４に記載の配線部材の結束構造。
【請求項６】
前記第一の当接部及び前記第二の当接部のいずれか又は双方には、前記貫通部に貫通配置される前記ベルトに対し前記結束状態の前記配線部材の長手方向の両側で対向する移動規制部を有する請求項４又は請求項５に記載の配線部材の結束構造。
【発明の詳細な説明】
【技術分野】
【０００１】
本発明は、プロテクタ上に配置された配線部材を取り囲むベルトがベルト挿入部に挿入されて結束される配線部材の結束構造に関する。
【背景技術】
【０００２】
車両に配索されるワイヤーハーネス等の配線部材には、プロテクタに保護される形で車体に配置されて、他部材との干渉が避けられているものがある。この場合、配線部材は、プロテクタに確実に被われるように、ベルト部材（特許文献１参照）によって、プロテクタごと取り囲まれる形で結束される場合がある。
【０００３】
ベルト部材（タイバンド）は、配線部材を取り囲むベルト（バンド）と、取り囲んだベルトをその先端側から挿入して抜け止めするベルト挿入部（バックル）と、を有して構成されている。ベルトは、配線部材の一部を保護するように被うプロテクタを巻き込む形で配線部材を取り囲んだ上で、ベルト挿入部に挿入・抜け止めされ、配線部材を結束する。
【先行技術文献】
【特許文献】
【０００４】
【特許文献１】特開平９−４０００４号公報
【発明の概要】
【発明が解決しようとする課題】
【０００５】
しかしながら、ベルト部材は、配線部材を取り囲んで結束した場合、きつく結束した状態であっても、ワイヤーハーネスの梱包等で配線部材周りを回転する方向に位置ずれする可能性がある。この場合、ベルトよりも形状の大きいベルト挿入部も回転するため、このベルト挿入部が周辺部材と干渉することが考えられる。このため、ベルト挿入部の回転領域に周辺部材が入り込まないよう配置を工夫する必要があった。
【０００６】
本発明の課題は、プロテクタ上に配置された配線部材を取り囲むベルトとそのベルトを結束するベルト挿入部が、配線部材の周りを回転して周辺部材と干渉することのないようにすることにある。
【課題を解決するための手段及び発明の効果】
【０００７】
上記課題を解決するために、本発明の配線部材の結束構造は、
プロテクタ上に配置された配線部材を取り囲むベルトがベルト挿入部に挿入されて結束される配線部材の結束構造であって、
前記ベルトは、前記ベルト挿入部から所定方向へと延び出し、前記プロテクタ上に配置された前記配線部材を当該プロテクタの一部を包含して取り巻いた上で当該ベルト挿入部に挿入されて結束状態とされており、
前記プロテクタは、そのベルト挿入部が配置される当接配置部を有し、
前記当接配置部は、配置される前記ベルト挿入部に対し、前記配線部材の外周方向における第一側で当接する第一の当接部と、前記外周方向における前記第一側とは逆の第二側で当接する第二の当接部と、を有しており、
前記結束状態の前記ベルト挿入部が前記第一の当接部と前記第二の当接部との双方に当接する形で前記当接配置部に配置されていることを特徴とする。
【０００８】
上記本発明の構成によれば、ベルトは、配線部材をその一部を被うプロテクタごと取り囲んだ上でベルト挿入部に挿入され、結束される。そして、そのベルト挿入部は、プロテクタに設けられた当接配置部上に配置される。このとき当接配置部は、ベルト挿入部に対し、配線部材の外周方向の第一側とその逆の第二側とにおいて当接するため、配線部材の外周方向への回転移動が規制されるから、周辺部材との干渉を防ぐことができる。
【０００９】
上記本発明の前記当接配置部は、前記結束状態における前記ベルト挿入部を、前記所定方向側において前記第一の当接部に当接させる形で配置する第一の配置状態と、前記所定方向側において前記第二の当接部に当接させる形で配置する第二の配置状態との双方が可能となる。これにより、ベルト挿入部を当接配置部に配置する向きを気にすることなく、ベルトを配線部材及びプロテクタに巻き付けることができるから、巻き付け作業の作業性が向上する。
【００１０】
上記本発明のベルトは、その基端側が前記ベルト挿入部に一体に接続されており、当該ベルト挿入部から前記所定方向である第一方向へと延び出し、前記配線部材及び前記プロテクタを取り巻いた上で、前記第一方向とは異なる第二方向側から当該ベルト挿入部に挿入されて、前記結束状態となり、前記ベルト挿入部は、前記結束状態において、前記第一方向側で前記第一の当接部と当接し、前記第二方向とは逆方向側で前記第二の当接部と当接する形で前記当接配置部に配置されるように構成できる。この構成によると、ベルトとベルト挿入部が一体のベルト部材によって、配線部材をその一部を被うプロテクタごと取り囲んで結束できる。そして、ベルトを結束状態とするベルト挿入部は、当接配置部上に配置されると、第一方向側と第二方向逆側との両側で当接するため、配線部材の外周方向への回転移動が規制され、周辺部材との干渉を防ぐことができる。
【００１１】
上記本発明において、前記第一の当接部及び前記第二の当接部のいずれか又は双方には、前記結束状態の前記ベルトが貫通配置される貫通部を設けることができる。この場合、前記第一の当接部及び前記第二の当接部のいずれか又は双方には、前記貫通部に貫通配置される前記ベルトに対し前記配線部材から遠い側で対向する離間規制部を設けることができる。これにより、ベルトが配線部材から離れることを防ぐことができる。例えば、配線部材とプロテクタの一部とを取り巻くようにベルトを巻き付ける巻き付け作業の際に、この離間規制部は、巻き付け途中のベルトが配線部材から離れてしまうことを防ぐ。つまり、巻き付け途中のベルトがプロテクタから離脱しない仮止め状態とすることができるから、この仮止め状態を利用して、巻き付け作業を効率的に行うことができる。
【００１２】
また、上記貫通部を設ける場合、前記第一の当接部及び前記第二の当接部のいずれか又は双方には、前記貫通部に貫通配置される前記ベルトに対し前記結束状態の前記配線部材の長手方向の両側で対向する移動規制部を設けることもできる。これにより、配線部材を取り囲んだベルト部材の、配線部材の長手方向への移動を規制することができ、配線部材及びプロテクタに対し安定して組付くことができる。
【図面の簡単な説明】
【００１３】
【図１】本発明の第一実施例である配線部材の結束構造を示した斜視図。
【図２】図１のプロテクタの一部分を拡大した斜視図。
【図３】図２のプロテクタを外側（裏側）から見た斜視図。
【図４】図１の配線部材の結束構造を形成するための第一の結束方法を説明する図。
【図５】図４の結束方法によって形成された結束構造を、ベルトのベルト幅中央位置で切断した断面にて示した断面図。
【図６】図５の部分拡大図。
【図７】図４の結束方法とは異なる第二の結束方法を説明する図。
【図８】図７の結束方法によって形成された結束構造を、ベルトのベルト幅中央位置で切断した断面にて示した断面図。
【図９】本発明の第二実施例である配線部材の結束構造を形成するための第一の結束方法を説明する図。
【図１０】図９の結束方法によって形成された結束構造を、ベルトの幅中央位置で切断した断面図。
【図１１】図９の結束方法とは異なる第二の結束方法を説明する図。
【図１２】図１１の結束方法によって形成された結束構造を、ベルトの幅中央位置で切断した断面図。
【発明を実施するための形態】
【００１４】
本発明の第一実施例を、図面を参照して説明する。
【００１５】
第一実施例の配線部材１０の結束構造１０００では、図１に示すように、ベルト部材１のベルト４が、プロテクタ１００上に配置された配線部材１０をプロテクタ１００の一部１００Ａごと取り囲み、ベルト挿入部５に挿入された形で結束している。ベルト部材１は、ベルト４（バンド）及びベルト挿入部５（バックル）が一体に設けられた、いわゆるタイバンドである。
【００１６】
ベルト挿入部５は、略立方体状に形成され、図４及び図５に示すように、外表面をなす６面のうちの対向する２面の中央を貫通する挿入孔５Ｈが形成された環状形状をなす。具体的には、挿入孔５Ｈの開口が形成される２つの外表面のうち、一方が他方よりも広く形成されており、その広い側の外表面５２ｓ側から狭い側の外表面（符号なし）へとベルト４が挿入される。ベルト４は、ベルト挿入部５において挿入孔５Ｈを取り囲む環状の壁部のうちの１面５１ｓから、所定方向Ｐ１に延び出す形で形成されている。
【００１７】
ベルト４には、図６に示すように、その長手方向に沿って複数の係止溝４０Ｖが形成されている。他方、ベルト挿入部５には、挿入孔５Ｈの内部には、挿入されてきたベルト４の係止溝４０Ｖに対し係止する弾性係止片５０が形成されている。ベルト挿入部５は、挿入孔５Ｈを挟む位置に対向壁部５１、５１を有しており、弾性係止片５０は、対向壁部５１、５１のうちの一方の壁部５１においてベルト４の挿入方向５Ｉの手前側から奥側に延び出し、その先端側には、ベルト４の係止溝４０Ｖに対し係止する係止爪５０Ｋが形成されている。ベルト４がベルト挿入部５に挿入されることにより、ベルト４の係止溝４０Ｖに対し係止爪５０Ｋが入り込んで係止状態（抜け止め状態）となり、挿入方向５Ｉの逆向きへの抜けが阻止される。ただし、ベルト４が挿入孔５Ｈ内を挿入方向５Ｉの奥へと挿入されていくときには、弾性係止片５０がその基端側の壁部５１に接近する方向に弾性変形する形でその挿入が許容される。このため、ベルト４をより奥に挿入することで、より強い結束状態を形成できる。
【００１８】
プロテクタ１００は、配線部材１０を保護するものであり、ここでは図１に示すように、配線部材１０の一部を被うようその外周側に対向配置される保護壁部１００Ａ、１００Ｂ、１００Ｃを有する。具体的にいえば、ここでのプロテクタ１００は、保護壁部１００Ａ、１００Ｂ、１００Ｃとして、配線部材１０の下側を被う底側壁部１００Ａと、底側壁部１００Ａの両端から立ち上がって配線部材１０の左右両側を被う対向壁部１００Ｂ、１００Ｃと、を有する。また、プロテクタ１００には、車体側の所定部材（例えばパネル材：図示なし）に組み付くための組付け部１００Ｚが形成されている。
【００１９】
また、ここでのプロテクタ１００は、その一方側の端部に、底側壁部１００Ａと対向壁部１００Ｂとによって形成されるＬ字状壁部１１０Ｌが形成されている。Ｌ字状壁部１１０Ｌには、図２及び図３に示すように、対向壁部１００Ｂの上端部に、ベルト部材１のベルト挿入部５が当接して配置される当接配置部１１０が形成されている。
【００２０】
当接配置部１１０は、配置されるベルト挿入部５に対し底側壁部１００Ａ上に配置される配線部材１０側で当接する第一の当接部１０１と、配置されるベルト挿入部５に対し下側で当接する第二の当接部１０２と、を有する。
【００２１】
第二の当接部１０２は、対向突出部１０２Ｂ、１０２Ｃと、連結部１０２Ａと、を有する。対向突出部１０２Ｂ、１０２Ｃは、それぞれがＬ字状壁部１１０Ｌに配置される配線部材１０の長手方向１０Ｘ（図４及び図７参照）において互いが対向しており、それぞれがＬ字状壁部１１０Ｌの対向壁部１００Ｂからその外側（即ち、底側壁部１００Ａや配線部材１０とは逆側：図５及び図８の左側）に向かって突出する、上下方向に延びる板状の突出部である。連結部１０２Ａは、それら対向突出部１０２Ｂ、１０２Ｃをその突出先端側（さらにいえば突出先端側で、かつ上側）で連結するよう延出している。第二の当接部１０２は、それら対向突出部１０２Ｂ、１０２Ｃと連結部１０２Ａとに囲まれる略Ｕ字状をなしており、上下方向に貫通し、かつ底側壁部１００Ａ側（さらにいえば配置される配線部材１０側）に向かって開放された貫通部１０２Ｈを有する。
【００２２】
第一の当接部１０１は、対向突出部１０２Ｂ、１０２Ｃの突出先端側とは逆の突出基端側（さらにいえば配置される配線部材１０側）から上方に突出する内側当接部である。第一の当接部１０１は、対向壁部１００Ｂにおける内外方向に貫通し、かつ下方に向かって開放された貫通部１０１Ｈを有する。具体的に言えば、第一の当接部１０１は、対向突出部１０１Ｂ、１０１Ｃと、連結部１０１Ａと、を有する。対向突出部１０１Ｂ、１０１Ｃは、それぞれがＬ字状壁部１１０Ｌに配置される配線部材１０の長手方向１０Ｘ（図４及び図７参照）において互いが対向しており、第二の当接部１０２における対向突出部１０２Ｂ、１０２Ｃの突出基端側から上方に向かって突出する突出部である。連結部１０１Ａは、それら対向突出部１０１Ｂ、１０１Ｃをその突出先端側（即ち、上端側）で連結するよう延出している。
【００２３】
配線部材１０は、ワイヤーハーネスであり、例えば複数の電線がテープ等で巻き付けられた形で形成されている。ここでの配線部材１０は、図１に示すように、プロテクタ１００の保護壁部１００Ａ、１００Ｂ、１００Ｃによって複数の電線束からなる部分が保護される一方、プロテクタ１００の一方側の端部においては、Ｌ字状壁部１１０Ｌによってそれら複数の電線束が１つに束ねられた部分が保護されるとともにベルト部材１によって結束されている。
【００２４】
ベルト部材１は、図４及び図７に示すように、ベルト４によって配線部材１０を、その配線部材１０を被うプロテクタ１００の一部（符号１００Ａの部分）を包含する形で取り巻いて（図４の上図参照）、取り巻いた先のベルト先端部４Ｔをベルト挿入部５に挿入し、上述した係止状態（抜け止め状態）とする。ここでのベルト部材１は、Ｌ字状壁部１１０Ｌにおいて配線部材１０が載置される底側壁部１００Ａを包含する形で配線部材１０を取り囲んでいる（図５参照）。ベルト４は、ベルト挿入部５に対し可能な限り奥へと挿入されており、より強固に配線部材１０を結束し、配線部材１０や底側壁部１００Ａとより強く密着した状態となっている（図４及び図７の下図参照）。
【００２５】
ここで、結束状態のベルト部材１をプロテクタ１００の当接配置部１１０に配置した配置状態１００１を、図５を用いて説明する。
【００２６】
ベルト４は、ベルト挿入部５から所定方向である第一方向Ｐ１へと延び出し、配線部材１０及びプロテクタ１００（１００Ａ）を取り巻いた上で、第一方向Ｐ１とは異なる第二方向Ｐ２に向かって当該ベルト挿入部５に挿入され、上述した係止状態（抜け止め状態）とされる。これにより、ベルト４は、配線部材１０及びプロテクタ１００（１００Ａ）を結束した結束状態となる。なお、ここでの第二方向Ｐ２は、第一方向Ｐ１と配線部材１０の長手方向１０Ｘとの双方に直交する方向である。
【００２７】
この結束状態（係止状態）において、ベルト挿入部５は、プロテクタ１００の当接配置部１１０に配置される。当接配置部１１０上に配置されたベルト挿入部５は、ベルト４によって取り囲まれている配線部材１０の外周方向Ｒにおける第一側で第一の当接部１０１と当接し、外周方向Ｒにおける第一側とは逆の第二側で第二の当接部１０２と当接している。具体的にいえば、ベルト挿入部５は、上記第二方向Ｐ２と上記挿入方向５Ｉとが一致するように当接配置部１１０に配置され、第一の当接部１０１は、ベルト挿入部５の第一方向Ｐ１側（図５の右側）の外表面５１ｓと当接し、第二の当接部１０２は、ベルト挿入部５の第二方向Ｐ２とは逆方向側（図５の下側）で挿入孔５Ｈの開口が形成される開口形成面５２ｓと当接している。
【００２８】
なお、第二方向Ｐ２は、ベルト挿入部５に対しベルト４の先端部４Ｔが挿入される方向（図５の上方向）であるから、ベルト挿入部５が第二の当接部１０２と当接する方向は、第二方向Ｐ２とは逆の方向（図５の下方向）になる。
【００２９】
このように、第一の配置状態１００１において、当接配置部１１０に配置された結束状態のベルト挿入部５は、ベルト４が延び出す第一方向Ｐ１側（図５の右側）で第一の当接部１０１と当接している。第一方向Ｐ１側は、ここではプロテクタ１００上に配置された配線部材１０の外周方向Ｒにおける第一側であるから、ベルト挿入部５は、第一の当接部１０１と当接することにより、配線部材１０に対してその外周方向Ｒの第一側に回転することが規制された状態にある。他方、第一の配置状態１００１において、当接配置部１１０に配置された結束状態のベルト挿入部５は、ベルト４の挿入方向に一致する第二方向Ｐ２とは逆方向側（図５の下側）で第二の当接部１０２と当接している。第二方向Ｐ２とは逆方向側は、ここではプロテクタ１００上に配置された配線部材１０の外周方向Ｒにおける第一側とは逆の第二側であるから、ベルト挿入部５は、第二の当接部１０２と当接することにより、配線部材１０に対してその外周方向Ｒの第二側（図５の下側）に回転することが規制された状態にある。つまり、第一の配置状態１００１において、当接配置部１１０に配置された結束状態のベルト挿入部５は、配線部材１０の外周方向Ｒへの回転が規制され、ベルト部材１全体が回り止め状態とされている。
【００３０】
なお、ベルト挿入部５における外表面５１ｓは、開口形成面５２ｓの端から垂直に立ち上がる垂直面ではなく、開口形成面５２ｓに対する垂直方向に対しやや傾斜した傾斜面をなす。このため、当接配置部１１０において、ベルト挿入部５が配置される側の面が互いに直交するように形成された第一の当接部１０１及び第二の当接部１０２は、ベルト挿入部５の外表面５１ｓ及び開口形成面５２ｓとの両方に対して広く面接触した状態にはならない。ここでは、開口形成面５２ｓが第二の当接部１０２の対向突出部１０２Ｂ、１０２Ｃ及び連結部１０２Ａに対し広い面積で面接触して配置されているものの、外表面５１ｓは、第一の当接部１０１に対し先端側（連結部１０１Ａ側）では非接触であり、基端側で対向突出部１０１Ｂ、１０１Ｃに対し接触した状態にある。しかしながら、基端側で接触していることにより、ベルト挿入部５は、配線部材１０に対してその外周方向Ｒの第一側（図５の右側）への回転が規制されているため、上述の回り止め状態が確実に形成されている。
【００３１】
ところで、当接配置部１１０は、ベルト挿入部５を、上述の第一の配置状態１００１だけでなく、ベルト４が延び出している第一方向Ｐ１側で第二の当接部１０２に当接させ、ベルト４を挿入させる第二方向Ｐ２とは逆方向側で第一の当接部１０１に当接させる形で配置する第二の配置状態１００２も可能である。
【００３２】
ここで、第一の配置状態１００１とは異なる第二の配置状態１００２について、図７及び図８を用いて説明する。
【００３３】
ベルト４は、図７に示すように、ベルト挿入部５から所定方向である第一方向Ｐ１（図７の下側）へと延び出し、配線部材１０及びプロテクタ１００（１００Ａ）を取り巻いた上で、第一方向Ｐ１とは異なる第二方向Ｐ２側（図７の左側）に向かって当該ベルト挿入部５に挿入され、上述した係止状態（抜け止め状態）となる。これにより、ベルト４は、配線部材１０及びプロテクタ１００（１００Ａ）を結束した結束状態となる。
【００３４】
この結束状態（係止状態）において、ベルト挿入部５は、当接配置部１１０上に配置され、ベルト４によって取り囲まれている配線部材１０の外周方向Ｒにおける第一側で第一の当接部１０１と当接し、外周方向Ｒにおける第一側とは逆の第二側で第二の当接部１０２と当接している。これにより、第一の配置状態１００１と同様、第二の配置状態１００２においても、当接配置部１１０に配置された結束状態のベルト挿入部５は、配線部材１０に対してその外周方向Ｒに回転することが規制され、ベルト部材１全体が回り止め状態とされている。
【００３５】
ただし、第二の配置状態１００２では、外周方向Ｒにおける第一側が上記第二方向Ｐ２の逆方向側（図８の右側）であり、外周方向Ｒにおける第二側が上記第一方向Ｐ１側（図８の下側）である。このため、第一の配置状態１００１とは、第一の当接部１０１及び第二の当接部１０２と当接するベルト挿入部５の当接面が異なっている。第二の配置状態１００２では、第一の当接部１０１がベルト挿入部５の開口形成面５２ｓと当接し、第二の当接部１０２がベルト挿入部５の第一方向Ｐ１側の外表面５１ｓと当接している。
【００３６】
なお、第二の配置状態１００２では、開口形成面５２ｓが第一の当接部１０１の対向突出部１０１Ｂ、１０１Ｃ及び連結部１０１Ａに対し広い面積で面接触して配置されているものの、外表面５１ｓは、第二の当接部１０２に対し第一の当接部１０１から離れた側では非接触であり、第一の当接部１０１側で対向突出部１０２Ｂ、１０２Ｃに対し接触した状態にある。しかしながら、第一の当接部１０１側で接触していることにより、ベルト挿入部５は、配線部材１０に対してその外周方向Ｒの第二側（図８の下側）への回転が規制されているため、上述の回り止め状態を確実に形成している。
【００３７】
このように第一実施例では、結束状態のベルト挿入部５が第一の当接部１０１と第二の当接部１０２との双方に当接する形で当接配置部１１０に配置され、ベルト部材１全体が回り止め状態とされる。また、当接配置部１１０は、結束状態におけるベルト挿入部５を、所定方向側である第一方向Ｐ１側において第一の当接部１０１に当接させる形で配置する第一の配置状態１００１と、第一方向のＰ１側において第二の当接部１０２に当接させる形で配置する第二の配置状態１００２との双方が可能であるから、ベルト４を配線部材１０に巻き付けて結束する際に、その巻き付け方向を気にする必要がないため、結束作業を効率的に行うことができる。
【００３８】
次に、結束状態のベルト部材１がプロテクタ１００に配置された配置状態１００１、１００２において、プロテクタ１００に対するベルト部材１の位置ずれや外れを防止する構造について説明する。
【００３９】
第一の当接部１０１及び第二の当接部１０２の双方には、図２及び図３に示すように、結束状態のベルト４が貫通配置される貫通部１０１Ｈ、１０２Ｈが設けられている。また、第一の当接部１０１及び第二の当接部１０２は、図４及び図７に示すように、貫通部１０１Ｈ、１０２Ｈに貫通配置されるベルト４に対し、配線部材１０から遠い側で対向する離間規制部１０１Ａ、１０２Ａと、結束状態の配線部材１０の長手方向１０Ｘにおける第一側で対向する第一の移動規制部１０１Ｂ、１０２Ｂと、当該長手方向における第一側とは逆の第二側で対向する第二の移動規制部１０１Ｃ、１０２Ｃと、を有する。ここでの第一の当接部１０１及び第二の当接部１０２は、第一の移動規制部１０１Ｂ、１０２Ｂと、離間規制部１０１Ａ、１０２Ａと、第二の移動規制部１０１Ｃ、１０２Ｃと、を連続する壁部として有した略Ｕ字状の壁部として形成されている。
【００４０】
なお、貫通部１０１Ｈ、１０２Ｈや、第一の移動規制部１０１Ｂ、１０２Ｂ、離間規制部１０１Ａ、１０２Ａ、第二の移動規制部１０１Ｃ、１０２Ｃが設けられるのは、第一の当接部１０１及び第二の当接部１０２のいずれか一方であってもよい。
【００４１】
また、図４及び図７に示すように、底側壁部１００Ａ上には配線部材１０が配置されており、底側壁部１００Ａは、その配線部材１０と共にベルト４によって取り囲まれて結束状態とされる。この底側壁部１００Ａにおいて、配線部材１０が配置される表面側とは逆の裏面側には、結束状態の配線部材１０の長手方向１０Ｘにおける第一側で対向する第一の移動規制部１０３Ｂと、当該長手方向における第一側とは逆の第二側で対向する第二の移動規制部１０３Ｃと、を有する。ここでは、底側壁部１００Ａの裏面に、結束状態の配線部材１０の長手方向１０Ｘに直交する方向に延びる形でガイド溝部１０３が形成されており、当該ガイド溝部１０３を構成する対向壁部が、第一の移動規制部１０３Ｂ及び第二の移動規制部１０３Ｃである。
【００４２】
また、第一実施例において、第一の当接部１０１及び第二の当接部１０２に形成された貫通部１０１Ｈ、１０２Ｈは、Ｌ字状壁部１１０Ｌに配置される配線部材１０側で連通している。このため、当該配線部材１０にベルト４を巻き付ける途中の段階においては、ベルト４は、貫通部１０１Ｈ、１０２Ｈのいずれを通過してもよい。貫通部１０１Ｈ、１０２Ｈがそれぞれ異なる孔として形成されていた場合、配線部材１０にベルト４を巻き付ける作業は、ベルト４を必ず貫通部１０１Ｈ、１０２Ｈの一方を通過させた上で、配線部材１０を取り囲んだ先で他方を通過させなければならない、といった制約の多い作業となるが、第一実施例によれば、互いに連通する貫通部１０１Ｈ、１０２Ｈをベルト４が通過してさえいればよいため、制約が少なく効率的に巻き付け作業を行うことができる。
【００４３】
以上、本発明の第一実施例を説明したが、これはあくまでも例示にすぎず、本発明はこれに限定されるものではなく、特許請求の範囲の趣旨を逸脱しない限りにおいて、当業者の知識に基づいて、追加及び省略等の種々の変更が可能である。
【００４４】
以下、上記実施例とは異なる別の実施例や変形例について説明する。なお、上記実施例と共通の機能を有する部位には同一符号を付して詳細な説明を省略する。また、上記実施例と下記例とは、技術的な矛盾を生じない範囲において適宜組み合わせて実施できる。
【００４５】
本発明の第二実施例である配線部材１０の結束構造１０１０を、図９〜図１２を参照して説明する。
【００４６】
第二実施例のベルト部材３は、ベルト４とベルト挿入部５とを別体に備える。ベルト挿入部５には、ベルト４が挿入される挿入孔５Ｈが平行に２つ並んで形成されており、ベルト４は、一端側を一方の挿入孔５Ｈに挿入するとともに、配線部材１０をプロテクタ１００ごと取り囲み、他端側を他方の挿入孔５Ｈに挿入することにより、結束状態となる。具体的にいえば、ベルト４には、第一実施例と同様（図６参照）、その長手方向に沿って係止溝４０Ｖが形成され、他方、ベルト挿入部５には、双方の挿入孔５Ｈ、５Ｈの内部に係止爪５０Ｋが設けられた弾性係止片５０、５０が形成されている。ベルト４は、それら挿入孔５Ｈ、５Ｈに挿入されると、係止溝４０Ｖが係止爪５０Ｋによって係止されて、挿入方向５Ｉとは逆向きへの抜け止め状態となる。双方の挿入孔５Ｈ、５Ｈに、ベルト４の一端側と他端側とが挿入されることにより、双方が抜け止め状態となり、いずれか一方又は双方をより奥へと挿入していくことで、より強い結束状態とすることができる。
【００４７】
第二実施例において、結束状態のベルト部材３をプロテクタ１００の当接配置部１１０に配置した第一の配置状態１０１１を、図１０を用いて説明する。
【００４８】
ベルト４は、その両端４Ｔ、４Ｔがベルト挿入部５に挿入されて結束状態となる。結束状態とされたベルト４は、ベルト４の一端側が、ベルト挿入部５から所定方向である第一方向Ｐ３（図１０の右側）へと延び出し、配線部材１０及びプロテクタ１００（１００Ａ）を取り巻いた上で、他端側が、第一方向Ｐ３とは逆向きに当該ベルト挿入部５に挿入され、上述した係止状態（抜け止め状態）とされている。
【００４９】
この結束状態（係止状態）において、ベルト挿入部５は、当接配置部１１０上に配置され、配線部材１０の外周方向Ｒにおける第一側で第一の当接部１０１と当接し、外周方向Ｒにおける第一側とは逆の第二側で第二の当接部１０２と当接している。具体的にいえば、第一の当接部１０１は、ベルト挿入部５の第一方向Ｐ３側で２つの挿入孔５Ｈ、５Ｈの開口が形成される開口形成面５２ｓと当接し、第二の当接部１０２は、ベルト挿入部５の挿入孔５Ｈを取り囲む環状壁部の外表面５３ｓと当接している。
【００５０】
このように、第一の配置状態１０１１において、当接配置部１１０に配置された結束状態のベルト挿入部５は、ベルト４が延び出す第一方向Ｐ３側（図１０の右側）で第一の当接部１０１と当接している。第一方向Ｐ３側は、ここではプロテクタ１００上に配置された配線部材１０の外周方向Ｒにおける第一側であるから、ベルト挿入部５は、第一の当接部１０１と当接することにより、配線部材１０に対してその外周方向Ｒの第一側（図１０の右側）に回転することが規制された状態にある。他方、第一の配置状態１０１１において、当接配置部１１０に配置された結束状態のベルト挿入部５は、第一方向Ｐ３及び配線部材１０の長手方向１０Ｘとの双方に直交する第二方向側（図１０の下側）で、第二の当接部１０２と当接している。第二方向側（図１０の下側）は、ここではプロテクタ１００上に配置された配線部材１０の外周方向Ｒにおける第一側とは逆の第二側であるから、ベルト挿入部５は、第二の当接部１０２と当接することにより、配線部材１０に対してその外周方向Ｒの第二側（図１０の下側）に回転することが規制された状態にある。このように、ベルト挿入部５は、プロテクタ１００上に配置された配線部材１０の外周方向Ｒにおける第一側と、その逆の第二側との双方への回転が規制された回り止め状態となっている。
【００５１】
また、第二実施例においても、ベルト挿入部５を、その第一方向Ｐ３側において、第一の当接部１０１ではなく第二の当接部１０２に当接させる形で配置する第二の配置状態１０１２（図１１及び図１２参照）が可能である。ここで、第一の配置状態１０１１とは異なる第二の配置状態１０１２について、図１１及び図１２を用いて説明する。
【００５２】
ベルト４は、その両端４Ｔ、４Ｔがベルト挿入部５に挿入されて結束状態となる。結束状態とされたベルト４は、ベルト４の一端側が、ベルト挿入部５から所定方向である第一方向Ｐ３（図１１の下側）へと延び出し、配線部材１０及びプロテクタ１００（１００Ａ）を取り巻いた上で、他端側が、第一方向Ｐ３とは逆方向側（図１１の上側）に向かって当該ベルト挿入部５に挿入され、上述した係止状態（抜け止め状態）となる。
【００５３】
この結束状態（係止状態）において、ベルト挿入部５は、当接配置部１１０上に配置され、配線部材１０の外周方向Ｒにおける第二側（図１２の下側）で第二の当接部１０２と当接し、外周方向Ｒにおける第一側（図１２の右側）で第一の当接部１０１と当接している。これにより、第一の配置状態１０１１と同様、第二の配置状態１０１２においても、当接配置部１１０に配置された結束状態のベルト挿入部５は、配線部材１０に対してその外周方向Ｒに回転することが規制された回り止め状態とされている。
【００５４】
なお、第一の配置状態１０１１では、ベルト挿入部５の開口形成面５２ｓが第一の当接部１０１と当接し、外表面５３ｓが第二の当接部１０２と当接しているが、第二の配置状態１０１２では、ベルト挿入部５の開口形成面５２ｓが第二の当接部１０２と当接し、外表面５３ｓが第一の当接部１０１と当接している。
【００５５】
このように第二実施例においても、２つの配置状態１０１１、１０１２の双方が可能であるから、ベルト４を配線部材１０に巻き付けて結束する際に、その巻き付け方向を気にする必要がないため、結束作業を効率的に行うことができる。
【００５６】
また、この第二実施例における当接配置部１１０は、ベルト部材３が第一実施例とは異なっているものの、プロテクタ１００については第一実施例と同じ構造である。つまり、第一実施例及び第二実施例におけるプロテクタ１００の構造は、第一実施例のベルト部材１と第二実施例のベルト部材３との双方に適用可能な構造であり、ベルト４とベルト挿入部５とが一体のベルト部材１であっても別体のベルト部材３であっても、双方を第一の配置状態１００１、１０１１と第二の配置状態１００２、１０１２という２つの配置状態で配置させることができる。
【００５７】
なお、上記全ての実施例において、プロテクタ１００の当接配置部１１０への配置は、ベルト４が配線部材１０及びプロテクタ１００（１００Ａ）を取り巻いてベルト挿入部５に挿入・係止されるときでもよいし、ベルト４が配線部材１０及びプロテクタ１００（１００Ａ）を取り巻く前でもよい。つまり、後者の場合は、予めベルト挿入部５を当接配置部１１０に配置した上で、ベルト４が配線部材１０及びプロテクタ１００（１００Ａ）を取り巻いて、ベルト挿入部５に挿入・係止される。
【符号の説明】
【００５８】
１０００、１０１０  結束構造
１００１、１００２、１０１１、１０１２  配置状態
１、３  ベルト部材
４  ベルト
５  ベルト挿入部
５Ｈ  ベルト挿入孔
５１ｓ、５３ｓ  外表面
５２ｓ  開口形成面
１０  配線部材
１００  プロテクタ
１１０  当接配置部
１０１  第一の当接部
１０２  第二の当接部
【図１】
2018160983.tif 000003
【図２】
2018160983.tif 000004
【図３】
2018160983.tif 000005
【図４】
2018160983.tif 000006
【図５】
2018160983.tif 000007
【図６】
2018160983.tif 000008
【図７】
2018160983.tif 000009
【図８】
2018160983.tif 000010
【図９】
2018160983.tif 000011
【図１０】
2018160983.tif 000012
【図１１】
2018160983.tif 000013
【図１２】
2018160983.tif 000014